(57)【要約】【課題】ネットワークにおける配線状態を検出するのに有効な方法及び装置を提供する。【解決手段】他の通信装置１７０に対しストレート又はクロスの結線により接続可能である通信装置１００であって、他の通信装置１７０に対して信号を送信可能な送信ポート１４１と、信号を受信可能な受信ポート１４２と、結線の正否を判別し送信ポート１４１及び受信ポート１４２による信号の送受信を自動的に切り替える自動送受信切替部を有する通信制御部１１１と、他の通信装置１７０との配線状態を出力する配線状態通知部１１２と、を備える。通信制御部１１１は、自動送受信切替部を作動させない状態で他の通信装置１７０との通信が確立されない場合、（ｉ）自動送受信切替部を作動させ、（ｉｉ）同（ｉ）の結果、他の通信装置１７０との通信が確立されたとき、配線状態通知部１１２により結線にエラーがある旨の情報を出力する。【選択図】図２
2013232886.tif 000002
【特許請求の範囲】
【請求項１】
他の通信装置に対しストレート又はクロスの結線により接続可能である通信装置であって、
前記他の通信装置に対して信号を送信又は受信可能な第１のポートと、
前記第１のポートが信号を送信可能であるとき信号を受信可能であり、前記第１のポートが信号を受信可能であるとき信号を送信可能である第２のポートと、
前記結線の正否を判別し前記第１のポート及び前記第２のポートによる信号の送受信を自動的に切り替える自動送受信切替部を有し、前記他の装置との通信を制御する制御部と、
前記他の通信装置との配線状態を出力する配線状態通知部と、
を備え、
前記制御部は、前記自動送受信切替部を作動させない状態で前記他の通信装置との通信が確立されない場合、（ｉ）前記自動送受信切替部を作動させ、（ｉｉ）前記（ｉ）の結果、前記他の通信装置との通信が確立されたとき、前記配線状態通知部により前記結線にエラーがある旨の情報を出力する、
通信装置。
【請求項２】
前記制御部は、
前記他の通信装置に対する通信を、前記第１のポート及び前記第２のポートを用いて通信を行う全二重通信又は前記第１のポート及び前記第２のポートのうちいずれか一方のみを用いて通信を行う半二重通信に切り替える通信切替部を更に有し、
前記（ｉ）の結果、前記他の通信装置との通信が確立されない場合、（ｉｉｉ）前記通信切替部は前記第１のポートのみを用いる前記半二重通信に切り換え、（ｉｖ）前記（ｉｉｉ）の結果、前記他の通信装置との通信が確立されたとき、前記配線状態通知部は前記第２のポートの接続にエラーがある旨の情報を出力する、
請求項１に記載の通信装置。
【請求項３】
前記制御部は、前記（ｉｉｉ）の結果、前記他の通信装置との通信が確立されない場合、（ｖ）前記第２のポートのみを用いる通信を行い、（ｖｉ）前記（ｖ）の結果、前記他の通信装置との通信が確立されたとき、前記配線状態通知部は前記第１のポートの接続にエラーがある旨の情報を出力する、
請求項２に記載の通信装置。
【請求項４】
前記制御部は、前記（ｖ）の結果、前記他の通信装置との通信が確立されない場合、前記配線状態通知部は複数のエラーがある旨の情報を出力する、
請求項３に記載の通信装置。
【請求項５】
前記配線状態通知部により出力される情報を表示する表示部、及び前記配線状態通知部により出力される情報を音声若しくは音により出力する音声出力部、の少なくとも一方を更に備えてなる、
請求項１から４のいずれかに記載の通信装置。
【請求項６】
前記制御部は、
前記（ｉ）の前記自動送受信切替部を作動後、前記自動送受信切替部の作動を停止させ、
前記（ｉ）において前記自動送受信切替部により前記第１のポート及び前記第２のポートによる信号の送受信が切り替えられた場合は、前記第１のポート及び前記第２のポートによる信号の送受信が更に切り替える、
請求項１から５のいずれかに記載の通信装置。
【請求項７】
他の通信装置に対しストレート又はクロスの結線により接続可能である通信装置であって、
前記他の通信装置に対して信号を送信又は受信可能な第１のポートと、
前記第１のポートが信号を送信可能であるとき信号を受信可能であり、前記第１のポートが信号を受信可能であるとき信号を送信可能である第２のポートと、
前記他の通信装置に対する通信を、前記第１のポート及び前記第２のポートを用いて通信を行う全二重通信又は前記第１のポート及び前記第２のポートのうちいずれか一方のみを用いて通信を行う半二重通信に切り替える通信切替部を有し、前記他の装置との通信を制御する制御部と、
前記他の通信装置との配線状態を出力する配線状態通知部と、
を備え、
前記制御部は、前記他の通信装置との通信が確立されない場合、（ｉ）前記通信切替部により前記第１のポートのみを用いる前記半二重通信に切り替え、（ｉｉ）前記（ｉ）の結果、前記他の通信装置との通信が確立されたとき、前記配線状態通知部により前記第２のポートの接続にエラーがある旨の情報を出力する、
通信装置。
【請求項８】
前記制御部は、前記（ｉ）の結果、前記他の通信装置との通信が確立されない場合、（ｉｉｉ）前記第２のポートのみを用いる通信を行い、（ｉｖ）前記（ｉｉｉ）の結果、前記他の通信装置との通信が確立されたとき、前記配線状態通知部は前記第１のポートの接続にエラーがある旨の情報を出力する、
請求項７に記載の通信装置。
【請求項９】
他の通信装置に対しストレート又はクロスの結線により接続可能である通信装置であって、
前記他の通信装置に対して信号を送信又は受信可能な第１のポートと、
前記第１のポートが信号を送信可能であるとき信号を受信可能であり、前記第１のポートが信号を受信可能であるとき信号を送信可能である第２のポートと、
前記第１のポート及び前記第２のポートによる信号の送受信を切り替える送受信切替部を有し、前記他の装置との通信を制御する制御部と、
前記他の通信装置との配線状態を出力する配線状態通知部と、
を備え、
前記制御部は、前記他の通信装置との通信が確立されない場合、（ｉ）前記送受信切替部により前記第１のポート及び前記第２のポートによる信号の送受信を切り替え、（ｉｉ）前記（ｉ）の結果、前記他の通信装置との通信が確立されたとき、前記配線状態通知部により前記結線にエラーがある旨の情報を出力する、
通信装置。
【請求項１０】
他の通信装置に対しストレート又はクロスの結線により接続可能であり、前記他の通信装置に対して信号を送信又は受信可能な第１のポートと、前記第１のポートが信号を送信可能であるとき信号を受信可能であり前記第１のポートが信号を受信可能であるとき信号を送信可能である第２のポートと、前記結線の正否を判別し前記第１のポート及び前記第２のポートによる信号の送受信を自動的に切り替える自動送受信切替部と、を有する通信装置を用いた配線状態検出方法であって、
前記自動送受信切替部を作動させない状態で前記他の通信装置との通信を開始し、
前記他の通信装置との通信が確立されない場合、前記自動送受信切替部を作動させ、
前記自動送受信切替部を作動させた結果、前記他の通信装置との通信が確立されたとき、前記結線にエラーがある旨の情報を出力する、
配線状態検出方法。
【請求項１１】
他の通信装置に対しストレート又はクロスの結線により接続可能であり、前記他の通信装置に対して信号を送信又は受信可能な第１のポートと、前記第１のポートが信号を送信可能であるとき信号を受信可能であり前記第１のポートが信号を受信可能であるとき信号を送信可能である第２のポートと、前記結線の正否を判別し前記第１のポート及び前記第２のポートによる信号の送受信を自動的に切り替える自動送受信切替部と、を有する通信装置を用いた配線状態検出方法をコンピュータに実行させるプログラムであって、
前記自動送受信切替部を作動させない状態で前記他の通信装置との通信を開始し、
前記他の通信装置との通信が確立されない場合、前記自動送受信切替部を作動させ、
前記自動送受信切替部を作動させた結果、前記他の通信装置との通信が確立されたとき、前記結線にエラーがある旨の情報を出力する、
ことをコンピュータに実行させるプログラム。
【発明の詳細な説明】
【技術分野】
【０００１】
本開示は、ネットワークにおける配線状態を検出する装置や方法に関する。
【背景技術】
【０００２】
近年、航空機用エンターテインメントシステムの機内ネットワークは、ツイスト・ペア・ケーブルを用いて接続されていることがある。ツイスト・ペア・ケーブルは、機器同士を接続する伝送媒体としてＩＥＥＥ（Ｉｎｓｔｉｔｕｔｅｏｆ  Ｅｌｅｃｔｒｉｃａｌ  ａｎｄ  Ｅｌｅｃｔｒｏｎｉｃｓ  Ｅｎｇｉｎｅｅｒｓ：（米国）電気電子学会）８０２．３によってＬＡＮ規格として規格化された１０ＢＡＳＥ−Ｔ或いは１００ＢＡＳＥ−ＴＸと称される（以降において、両者を併せ、１０／１００ＢＡＳＥ−ＴＸと記載するものとする。）。
【０００３】
１０／１００ＢＡＳＥ−ＴＸケーブルには、ストレートケーブルとクロスケーブルとの２種類のケーブルがあるが（例えば、特許文献１参照）、配線においては不確定な要素をできるだけ排除して通信の品質や信頼性を上げる必要がある。特に、機器同士のイーサネット（登録商標）通信においては、ＭＤＩ（Ｍｅｄｉｕｍ  Ｄｅｐｅｎｄｅｎｔ  Ｉｎｔｅｒｆａｃｅ）／ＭＤＩ―Ｘ（Ｍｅｄｉｕｍ  Ｄｅｐｅｎｄｅｎｔ  Ｉｎｔｅｒｆａｃｅ  Ｃｒｏｓｓｏｖｅｒ）の自動的な切り替えを無効として信号の送受信方向を固定し、機器の送信と受信のピン配置をあらかじめ決定して、機器同士をストレート又はクロスケーブルによって接続することがある。また、通信方式においては、一つの周波数帯で行えるデータ通信が１方向に限定されるため、回線を送信部と受信部の２本分用意するか、もしくは１つの回線の向きを定期的に逆転させて使用する場合がある。前者の場合を全二重通信（以下全二重）、後者の場合を半二重通信（以下半二重）という。
【０００４】
通信方式を全二重にするか半二重にするかは自動判別するのが民生用途では一般的であるが、航空機用のネットワーク配線においてはあらかじめ決定しておくことがある。航空機用のネットワーク配線は、機体内部を大改装するなどの大きな変更時以外は、システムの装着時の配線が変更されることは稀であるため、機器同士の信号配置も変更されることは稀である。
【先行技術文献】
【特許文献】
【０００５】
【特許文献１】特開２００１−２９１５６４号公報
【発明の概要】
【発明が解決しようとする課題】
【０００６】
一般的に、航空機に搭載する機器は、運行時、振動や温度変化、電気的・磁気的外乱が加わる上、材料に対する難燃性の要求など、民生機器と異なる条件下におかれる。よって、ネットワークの配線材（ハーネス）は一般的に用いられるイーサネット（登録商標）ケーブルではなく、多様な状況に際して耐性のある特殊なケーブルを用いた専用ハーネスを作成することがある。
【０００７】
航空機は、座席構成や機体の種類によって多くの組み合わせがあるため、これらの専用ハーネスは大量生産ができず、ヒューマンエラーなどによって誤配線や断線が生じることが多い。航空機に機器を装着してネットワーク配線をした後に電源投入テストをする際、ネットワーク通信ができない不具合が発生する。
この場合、通信ができない原因が、機器の故障なのか、誤配線であるのかは、一見するとわからないため、機器とハーネスの両方を確認する必要があり、多くの手間がかかっていた。汎用の民生機器等においては、誤配線によって機器間のイーサネット（登録商標）結線のストレート／クロス接続が逆になった場合、ＭＤＩ／ＭＤＩ−Ｘの自動切替機能を利用して通信を確立する手法がとられていた。
【０００８】
しかし、前述した様に航空機用ネットワーク配線においては、機器のＭＤＩ／ＭＤＩ―Ｘやオートネゴシエーションは無効とするような要求仕様であることが多く、その場合は通信を確立することができない。よって、機器の故障か配線の誤りかが判別できない。さらに、航空機用ネットワーク配線は前述したように専用ハーネスを作成するため、ストレート／クロスの誤結線の他に断線の原因が生じることも多く、この場合前述の方法では検出できなかった。
【０００９】
そこで、本開示は、ネットワークにおける配線状態を検出するのに有効な方法及び装置を提供する。
【課題を解決するための手段】
【００１０】
本開示における通信装置は、他の通信装置に対しストレート又はクロスの結線により接続可能である通信装置であって、他の通信装置に対して信号を送信又は受信可能な第１のポートと、第１のポートが信号を送信可能であるとき信号を受信可能であり、第１のポートが信号を受信可能であるとき信号を送信可能である第２のポートと、
結線の正否を判別し第１のポート及び第２のポートによる信号の送受信を自動的に切り替える自動送受信切替部を有し、他の装置との通信を制御する制御部と、他の通信装置との配線状態を出力する配線状態通知部と、を備える。制御部は、自動送受信切替部を作動させない状態で他の通信装置との通信が確立されない場合、（ｉ）自動送受信切替部を作動させ、（ｉｉ）同（ｉ）の結果、他の通信装置との通信が確立されたとき、配線状態通知部により結線にエラーがある旨の情報を出力する。
【発明の効果】
【００１１】
本開示における方法および装置は、ネットワークにおける配線状態を検出するのに有効である。
【図面の簡単な説明】
【００１２】
【図１】実施の形態に係る通信装置の概略構成図である。
【図２】実施の形態に係る通信装置の機能を説明するための図である。
【図３】同通信装置の動作を説明するための図である。
【図４】同通信装置の動作を説明するための図である。
【図５】同通信装置の動作を説明するための図である。
【図６】同通信装置の動作を示すフローチャートである。
【発明を実施するための形態】
【００１３】
（実施の形態）
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を十分に理解するために添付図面及び以下の説明を提供するのであって、これらによって特許請求の範囲に記載の主題を限定することを意図するものではない。
説明中で同じ符号、記号、数字は、特に説明が無い限り、同じ構成要素を示すものとする。また、特に説明が無い限り本発明に必須でない構成要素は図示しないものとする。
【００１５】
以下、一実施の形態について図面を参照して説明する。
［１−１．構成]
図１は、本実施の形態に係る通信装置１００の構成を概略的に示す図である。通信装置１００は、例えば、航空機内に設置された通信機能を備えるコンピュータ装置であり、例えば、イーサネット（登録商標）等のＬＡＮ等のネットワークに接続される通信機器（イーサネット（登録商標）デバイス等）や端末装置である。図１に示すように、通信装置１００は、制御部や演算処理部として動作するＣＰＵ１１０と、メモリ１２０と、表示部１３０と、ネットワークインターフェース１４０と、を備える。
【００１６】
ＣＰＵ１１０は、所定のプログラムを実行することにより通信装置１００の各機能を実行する。特に、ＣＰＵ１１０は、所定のプログラムに従って、後述するように、通信制御部１１１、配線状態通知部１１２、送信ポート１４１（第１又は第２のポートの一例）、及び受信ポート１４２（第１又は第２のポートの一例）の機能を実行する。
メモリ１２０は、種々のデータを格納する。メモリ１２０は、例えば、後述する配線状態の検出を実行するプログラムを格納する。
【００１７】
表示部１３０は、ＬＣＤや有機ＥＬディスプレイ等の表示画面を有し、後述するように、配線状態の検出結果に応じた情報を表示する。なお、配線状態通知部１１２による通知方法は、表示に加えて又は表示に代えて、音声や音等を用いてユーザに通知する音声出力部を備えていてもよい。
ネットワークインターフェース１４０は、送信ポート１４１及び受信ポート１４２を有し、他の通信装置である対向装置１７０のネットワークインターフェースとストレートケーブル又はクロスケーブルを介して結線される。
送信ポート１４１は、通信装置１００から対向装置１７０へデータ、コマンド、レスポンス等の信号を送信する送信部である。受信ポート１４２は、対向装置１７０からのデータ、コマンドやレスポンス等の信号を受信する受信部である。
【００１８】
なお、通信装置１００は、後述するようにストレート／クロス結線の正否を判別し送信ポート１４１と受信ポート１４２による信号の送受信を自動的に切り替える自動切替モジュール（自動送受信切替部の一例）を含む送受信切替部１５１を有するが、通常状態においては、自動切替モジュール（例えば、機器のＭＤＩ／ＭＤＩ―Ｘやオートネゴシエーション）は無効に設定されている。
【００１９】
以上のように、通信装置１００は、対向装置１７０にストレート又はクロスの結線により接続され、以下に述べる機能を実行することにより対向装置１７０に対する結線状態を検出する。
【００２０】
［１−２．動作]
図２〜図５は、通信装置１００の動作を示す機能ブロック図である。
通信装置１００による結線状態の検出機能は、図２に示す、対向装置１７０と１０／１００ＢＡＳＥ−ＴＸケーブルを介して接続された送信ポート１４１、受信ポート１４２、および送信ポートと受信ポートを切り替える（ＭＤＩ／ＭＤＩ―Ｘの設定を切り替える）通信制御部１１１の送受信切替部１５１と、全二重／半二重切替部１５２（通信切替部の一例）と、対向装置１７０との結線状態を表示部１３０に出力してユーザに通知する配線状態通知部１１２と、により実行される。
【００２１】
図２〜図５に示された通信装置１００の動作状態及び図６のフローチャートに従って、本実施の形態に係る通信装置１００により実行される配線状態の検出動作を説明する。なお、以下の例では、通信装置１００は、対向装置１７０とストレート結線されるものとする。
ステップＳ１０１：まず、通信装置１００は対向装置１７０との接続を開始する。図２に示すように機器間（本実施の形態においては通信装置１００と対向装置１７０間）を既定の接続方法で接続した状態で機器間の通信を開始する。
【００２２】
この接続は、図２に示すように、通信装置１００の送信ポート１４１から対向装置１７０のネットワークインターフェース１７１に信号送信すると同時に、対向装置１７０のネットワークインターフェース１７１から通信装置１００の受信ポート１４２に信号を受信する全二重通信が行われるよう配線されている。
ステップＳ１０２：通信制御部１１１は、対向装置１７０との間で通信が確立したかどうかを判定する。通信が確立した場合は、ステップＳ１０３に進み、通信が確立しなかった場合はステップＳ１０４に進む。このとき問題なく通信が確立できれば配線は正常に行われていることになる。
【００２３】
ステップＳ１０３：通信装置１００と対向装置１７０との間で通信が確立した場合は、配線状態通知部１１２は表示部１３０に対し、正常に接続されている旨を表示させる。この場合、図２に示すように、通信装置１００と対向装置１７０間において全二重通信が可能な状態であることが確認できる。なお、配線が正常に行われている場合、あえてその旨を表示させてメッセージをユーザに通知しなくともよい。
【００２４】
ステップＳ１０４：ステップＳ１０２（図６）において通信が確立できなかった場合、通信制御部１１１における送受信切替部１５１の自動切替モジュールを作動させる。送受信切替モジュールは、通信装置１００の結線の正否を判定し、その判別結果に応じて送信ポート１４１と受信ポート１４２における信号の向きを逆にする（ここでは、クロス結線にする）。図３は、送受信切替部１５１により通信装置１００の結線が変更された場合においてステップＳ１０４（図６）における結線の設定を表す図である。
【００２５】
ステップＳ１０５：通信制御部１１１は、対向装置１７０との間で通信が確立したかどうかを判定する。通信が確立した場合は、ステップＳ１０６に進み、通信が確立しなかった場合はステップＳ１０７に進む。なお、送受信切替部１５１の自動切替モジュールの作動を停止し、機能を無効化する。
ステップＳ１０６：ステップＳ１０５（図６）において、対向装置１７０との通信を試み、通信が正常に確立できた場合、ストレート／クロスの結線が意図したものと逆になっていると判定される。そして、配線状態通知部１１２は、表示部１３０に対しエラーメッセージとしてその旨を表示してユーザに通知する。
【００２６】
ステップＳ１０７：ステップＳ１０５（図６）において通信が確立できなかった場合、まず、機器間の全二重通信の設定を半二重通信に設定する。具体的には、通信装置１００のＭＤＩ／ＭＤＩ―Ｘの設定はＭＤＩ（ストレート接続）にした後、通信制御部１１１の全二重／半二重切替部１５２は、ＲＸ側（受信ポート１４２側）のハーネスが断線していると仮定して、対向装置１７０に対して送信ポート１４１のみを使用して半二重通信を行う。図４はステップＳ１０７（図６）における接続状態を表す図である。
【００２７】
ステップＳ１０８：通信制御部１１１は、対向装置１７０との間で通信が確立したかどうかを判定する。通信が確立した場合は、ステップＳ１０９に進み、通信が確立しなかった場合はステップＳ１１０に進む。
ステップＳ１０９：ステップＳ１０８（図６）において、対向装置１７０と半二重での通信を試み、通信が確立できた場合、通信装置１００のＲＸ側（受信ポート１４２側）のハーネスが断線していると判定される。そして、配線状態通知部１１２は、表示部１３０に対しエラーメッセージとしてその旨を表示してユーザに通知する。
【００２８】
ステップＳ１１０：ステップＳ１０８（図６）において通信が確立できなかった場合、通信装置１００のＭＤＩ／ＭＤＩ−Ｘの設定をＭＤＩ―Ｘ（クロス接続）にした後、通信制御部１１１の全二重／半二重切替部１５２は、ＴＸ側（送信ポート１４１側）のハーネスが断線していると仮定して、対向装置１７０に対して受信ポート１４２のみを使用して半二重通信を行う。図５は、ステップＳ１１０（図６）における接続状態を表す図である。
【００２９】
ステップＳ１１１：通信制御部１１１は、対向装置１７０との間で通信が確立したかどうかを判定する。通信が確立した場合は、ステップＳ１１２に進み、通信が確立しなかった場合はステップＳ１１３に進む。
ステップＳ１１２：ステップＳ１１１（図６）において、対向装置１７０と通信装置１００のＲＸ側（受信ポート１４２側）を用いて半二重での通信を試み、通信が確立できた場合、通信装置１００の送信側（送信ポート１４１側）のハーネスが断線していると判定される。そして、配線状態通知部１１２は、表示部１３０に対しエラーメッセージとしてその旨を表示してユーザに通知する。
【００３０】
ステップＳ１１３：ステップＳ１１１（図６）において通信が確立できなかった場合、２か所以上の配線の誤りがあると想定できる。よって、配線状態通知部１１２は、表示部１３０に対しエラーメッセージとしてその旨を表示し、ユーザに通知する。
各ステップの順番はあくまで一例であり、適宜変更を行ってもよい。例えば、ステップＳ１０７〜Ｓ１０９における半二重通信による送信側の接続処理と、ステップＳ１１０〜Ｓ１１２における半二重通信による受信側の接続処理とは順番を入れ替えてもよい。
【００３１】
[１−３．効果]
本実施の形態に係る通信装置１００は、特に、航空機用エンターテインメントシステム等の機内ネットワーク配線に代表される、例えばイーサネット（登録商標）を用いたネットワークの構築時に、配線ミスによる通信不良を検出し、その結果をユーザに通知する。従って、特別な機器を用意することなく、航空機へのネットワーク配線を行う際に生じる誤配線の有無を自動的に容易に検出でき、ユーザに知らせることができ、ユーザは配線の誤りを速やかに修正することができる。特に、誤配線状態においては、誤配線状態であること、各機器が故障していないこと、ハーネス断線の有無をユーザは知ることができ、ユーザはその通知に応じて速やかに配線を修正することができる。
【００３２】
（その他実施の形態）
以上のように、本出願において開示する技術の例示として、一の実施の形態を説明した。しかしながら、本開示における技術はこれに限定されず、適宜、変更、置き換え、付加、省略などを行った実施の形態にも適用可能である。また、上記実施の形態で説明した各構成要素を組み合わせて、新たな実施の形態とすることも可能である。
【００３３】
以下、他の実施の形態を例示する。
（１）
上記実施の形態においては、通信装置１００は送受信切替部１５１と全二重／半二重切替部１５２の双方の機能を用いて配線状態検出を行っているが、これに限定されない。通信装置１００は、通信が確立されない場合（図６のステップＳ１０１〜Ｓ１０２）、送受信切替部１５１の自動切替モジュールを作動させた後、通信の確立を試み、その結果を検出するまでの動作をもって終了してもよい（ステップＳ１０４〜Ｓ１０６）。或いは通信装置１００は、通信が確立されない場合（ステップＳ１０１〜Ｓ１０２）、全二重／半二重切替部１５２により半二重通信に切り替えた後、送信側又は通信側の通信の確立を試みてその結果を検出するのみを行ってもよい（ステップＳ１０７〜ステップＳ１１２）。
【００３４】
（２）
通信装置１００における送受信切替部１５１は、結線の正否を判別し送信ポート１４１と受信ポート１４２による信号の送受信を自動的に切り替える自動切替モジュールを備えるが、これに限定されない。結線の正否を判別せず、送信ポート１４１と受信ポート１４２による信号の送受信を切り替えるだけものであってもよい。この場合、図６のステップＳ１０２において通信が確立できなかった場合、ステップＳ１０４において送受信切替部１５１は送信ポート１４１と受信ポート１４２による信号の送受信を必ず切り替える。
【００３５】
（３）
上記実施の形態においては、通信装置１００と対向装置１７０間は予めストレート結線にされているが、予めクロス結線にされるものであってもよい。
（４）
通信装置１００は、表示部１３０や音声出力部を備えていなくともよい。例えば、通信装置１００に別途搭載された通信制御部を介してサーバやその他装置に情報を送信してもよい。
【００３６】
（５）
本開示に係る通信装置１００は、一つの機器でなく、機器に取り付けられる半導体チップやその他集積回路の形態によって実現さてもよい。また、本開示に係る配線状態検出は、通信装置１００の一部を用いて実行する配線状態検出方法、或いは配線状態検出方法をコンピュータに実行させるプログラムとしても実現可能である。
【産業上の利用可能性】
【００３７】
本開示は、ネットワークの配線状態を検出する装置や方法等として適用できる。
【符号の説明】
【００３８】
１００  通信装置
１１０  ＣＰＵ
１１１  通信制御部
１１２  配線状態通知部
１２０  メモリ
１３０  表示部
１４０  ネットワークインターフェース
１４１  送信ポート
１４２  受信ポート
１５１  送受信切替部
１５２  全二重／半二重切替部
１７０  対向装置
１７１  ネットワークインターフェース
【図１】
2013232886.tif 000003
【図２】
2013232886.tif 000004
【図３】
2013232886.tif 000005
【図４】
2013232886.tif 000006
【図５】
2013232886.tif 000007
【図６】
2013232886.tif 000008